(57)【要約】【課題】  対物レンズと情報記録媒体とのチルトに起因する波面収差の補正に加えて、光源部から発光された光の波面収差を補正する。【解決手段】  相対的に移動する情報記録媒体に光源部から発光された光を集光する対物レンズを変位させることで前記対物レンズと情報記録媒体とのチルト補正が可能な光ピックアップで、光源部から発光された光の光路を横切るように配列された屈折率が異なる複数の領域によって形成される所定の補正パターンに応じて、光源部から発光された光の波面収差を補正することで、対物レンズと情報記録媒体とのチルトに起因する波面収差の補正に加えて、光源部から発光された光の波面収差を補正パターンに応じて補正するようにした。【選択図】    図６
2005115977.tif 000002
【特許請求の範囲】
【請求項１】
光を発光する光源部と、
相対的に移動する情報記録媒体に前記光源部から発光された光を集光する対物レンズを有する集光光学系と、
前記対物レンズを変位させることで前記対物レンズと前記情報記録媒体とのチルトを補正する対物レンズ駆動装置と、
前記集光光学系における光路を横切るように配列された屈折率が異なる複数の領域によって形成される所定の補正パターンに応じて前記光源部から発光された光の波面収差を補正する波面収差補正手段と、
を具備する光ピックアップ。
【請求項２】
前記波面収差補正手段は、前記対物レンズによる集光位置と前記情報記録媒体との相対的な移動方向に直交する方向沿って分割された前記補正パターンに応じて波面収差を調整する請求項１記載の光ピックアップ。
【請求項３】
前記波面収差補正手段は、前記対物レンズによる集光位置と前記情報記録媒体との相対的な移動方向に沿って分割された前記補正パターンに応じて波面収差を調整する請求項１記載の光ピックアップ。
【請求項４】
前記波面収差補正手段は、前記対物レンズによる集光位置と前記情報記録媒体との相対的な移動方向と、前記相対的な移動方向に直交する方向とに沿ってそれぞれ分割された前記補正パターンに応じて波面収差を調整する請求項１記載の光ピックアップ。
【請求項５】
光学的に透明な一対の基板とこの基板間に設けられた液晶層と前記基板に設けられて前記補正パターンを形成するように設けられた複数の電極とを有する液晶光学素子と、
前記相対的な移動方向に沿って変動するチルト量を検出するチルト量検出手段と、
を具備し、
前記波面収差補正手段は、検出したチルト量に応じて前記液晶層における屈折率が前記補正パターンに応じて異なるように前記各電極に印加する電圧を調整することにより前記光源部から発光された光の波面収差を補正する請求項２記載の光ピックアップ。
【請求項６】
光学的に透明な一対の基板とこの基板間に設けられた液晶層と前記基板に設けられて前記補正パターンを形成するように設けられた複数の電極とを有する液晶光学素子と、
前記相対的な移動方向に直交する方向沿って変動するチルト量を検出するチルト量検出手段と、
を具備し、
前記波面収差補正手段は、検出したチルト量に応じて前記液晶層における屈折率が前記補正パターンに応じて異なるように前記各電極に印加する電圧を調整することにより前記光源部から発光された光の波面収差を補正する請求項３記載の光ピックアップ。
【請求項７】
光学的に透明な一対の基板とこの基板間に設けられた液晶層と前記基板に設けられて前記補正パターンを形成するように設けられた複数の電極とを有する液晶光学素子と、
前記相対的な移動方向に沿って変動する第一のチルト量を検出する第一のチルト量検出手段と、
前記相対的な移動方向に直交する方向沿って変動する第二のチルト量を検出する第二のチルト量検出手段と、
を具備し、
前記波面収差補正手段は、前記第一および第二のチルト量に応じて前記液晶層における屈折率が前記補正パターンに応じて異なるように前記各電極に印加する電圧を調整することにより前記光源部から発光された光の波面収差を補正する請求項４記載の光ピックアップ。
【請求項８】
光学的に透明な一対の基板とこの基板間に設けられた液晶層と前記基板に設けられて前記補正パターンを形成するように設けられた複数の電極とを有する液晶光学素子を具備し、
前記波面収差補正手段は、前記液晶層における屈折率が前記補正パターンに応じて異なるように前記各電極に印加する電圧を調整することにより前記光源部から発光された光の波面収差を補正する請求項１記載の光ピックアップ。
【請求項９】
前記補正パターンは、少なくとも３つの前記領域を有する請求項２、３、５、６または８記載の光ピックアップ。
【請求項１０】
前記補正パターンは、少なくとも４つの前記領域を有する請求項４、７または８記載の光ピックアップ。
【請求項１１】
前記光源部は、各々波長の異なる光を発光する複数の光源を具備し、
前記集光光学系は、単一の前記対物レンズと、前記各光源から発光される光を前記対物レンズにおいて合成する光路合成素子とを具備し、
前記液晶光学素子は、最も短波長の光を発光する前記光源と前記光路合成素子との間に設けられている請求項５、６、７または８記載の光ピックアップ。
【請求項１２】
前記光源部は、各々波長の異なる光を発光する複数の光源を具備し、
前記集光光学系は、単一の前記対物レンズと、前記各光源から発光される光を前記対物レンズにおいて合成する光路合成素子とを具備し、
前記液晶光学素子は、前記対物レンズと前記光路合成素子との間に設けられている請求項５、６、７または８記載の光ピックアップ。
【請求項１３】
前記液晶光学素子に設けられて球面収差に応じた球面収差補正用パターンを形成するように設けられた球面収差補正用電極と、
前記球面収差補正用パターンに応じて異なるように前記球面収差補正用電極に印加する電圧を調整することにより前記光源部から発光された光の球面収差を補正する球面収差補正手段と、
を具備する請求項５、６、７、８、１１または１２記載の光ピックアップ。
【請求項１４】
請求項１ないし１４のいずれか一に記載の光ピックアップと、
前記光ピックアップが具備する対物レンズによって光が集光される情報記録媒体と前記光ピックアップとを相対的に移動させる移動機構と、
前記情報記録媒体からの反射光を受光する受光素子を備える受光光学系と、
を具備する光ディスク装置。
【発明の詳細な説明】
【技術分野】
【０００１】
本発明は、光ピックアップおよび光ディスク装置に関する。
【背景技術】
【０００２】
光ディスク装置では、光ディスクのスパイラル状又は同心円状のトラックが形成された記録面にレーザ光を照射することにより情報の記録を行い、記録面からの反射光に基づいて情報の記録・再生・消去の動作を行っている。
【０００３】
ここで、図１７は、従来の光ディスク装置における光ピックアップを例示する概略図である。図１７に示すように、光ディスク装置における光ピックアップ１００は、光ディスク１０１に照射する光を発光する光源１０２と、光源１０２から発光した光束の焦点を光ディスク１０１に集光する対物レンズ１０３とを有している。また、光ディスク装置は光源１０２から発光した光束の焦点を光ディスク１０１に集光するために、対物レンズ１０３をフォーカシング方向およびトラッキング方向に移動させることでフォーカシング制御およびトラッキング制御を行なう制御フォーカス・トラック制御部１０４を有している。
【０００４】
ところで、近年、光ディスク１０１の種類としては、ＣＤ（Compact Disc）の他に、記録容量がＣＤよりも飛躍的に大きなＤＶＤ（Digital Versatile Disc）や、さらにＢＬＵＥ用ディスクの規格が提唱されている。
【０００５】
ＣＤに対して記録及び再生を行なうには、７８５ｎｍの波長の光を発光する光源が用いられ、ＤＶＤに対して記録および再生を行なうには６６０ｎｍの波長の光を発光する光源が用いられ、ＢＬＵＥ用ディスクに対して記録および再生を行なうには４０５ｎｍの波長の光を発光する光源が用いられる。
【０００６】
ここで、光源から発光する光の波長が短くなると、図１８に示すように、光ディスク１０１と対物レンズ１０３との間で発生するチルトによる波面収差の劣化が急増する。一般的に、光ピックアップ１００における波面収差の劣化に関する許容値は、通常波長に限らず０.０７λまでとされている。なお、この許容値０．０７λは、光ディスク１０１と対物レンズ１０３との間で発生するチルトによる波面収差劣化のみではなく、フォーカスずれによる波面収差劣化等にも配分した上での許容値とされている。
【０００７】
光ディスク１０１と対物レンズ１０３との間で発生するチルトは、通常、±０．５°程度まで許容される。一般的に、光ディスク１０１としてＤＶＤやＢＬＵＥ用のディスク（ＮＡ０．６５）を用いる場合、これらの光ディスク用の光ピックアップでは、チルト補正をすることによって波面収差を抑えることが必要となる。
【０００８】
チルト補正をする技術として従来では、例えば、対物レンズ駆動装置にチルト補正機構を設け、光ディスクのチルトに応じて対物レンズをチルトさせることで波面収差の劣化を抑えるようにした技術がある（例えば、特許文献１参照）。
【０００９】
また、例えば、光源と対物レンズとの間に液晶光学素子を設け、この液晶光学素子によって光ディスクのチルトによる波面収差劣化を補正するようにした技術がある（例えば、特許文献２参照）。
【００１０】
また、光ディスクがチルトした場合には、そのチルトに応じて光ピックアップ自体をチルトさせることで、光ディスクと光ピックアップとの間の相対的なチルトを０にするようにした技術がある（例えば、特許文献３参照）。
【００１１】
【特許文献１】特開２００２−２１６３８０公報
【特許文献２】特開平９−１２８７８５号公報
【特許文献３】実開平０６−００４９２６号公報
【発明の開示】
【発明が解決しようとする課題】
【００１２】
しかしながら、例えば、特許文献１に記載された技術では、光ディスクのチルトによって発生する波面収差（コマ収差）を対物レンズのチルトで補正した場合、図１９に示すように、残留収差が残る。ここで、図１９は、ＢＬＵＥの光ディスク１０１が対物レンズ１０３に対してチルトした場合に対物レンズ１０３を変位させることによってチルトを補正した前後における波面収差を示すグラフである。図１９から判るように、対物レンズ１０３を変位させることでチルト補正することにより波面収差を改善することはできるが残留収差が残ってしまう。しかしながら、上述したように、光ピックアップ１００における波面収差の劣化に関する許容値はチルトによる波面収差劣化のみではなく、フォーカスずれによる波面収差劣化等にも配分した上での許容値とされているため、対物レンズ１０３の変位によってチルト補正をすることで残った残留収差を波面収差のその他制御誤差に対して上乗せすると、光ピックアップにおける波面収差配分量が狭くなってしまう。
【００１３】
また、一般的に液晶光学素子は透過率が悪いため、例えば、特許文献２に記載された技術をＤＶＤやＢＬＵＥ用のディスクに対して適用した場合、照明効率が低下してしまい、高速記録に対応ができない。
【００１４】
また、特許文献３に記載された技術では、光ピックアップのチルトによる最外部の稼動範囲が大きくなり、光ディスク装置が大型化してしまう。
【００１５】
本発明の目的は、対物レンズと情報記録媒体とのチルトに起因する波面収差の補正に加えて、光源部から発光された光の波面収差を補正することである。
【課題を解決するための手段】
【００１６】
請求項１記載の発明の光ピックアップは、光を発光する光源部と、相対的に移動する情報記録媒体に前記光源部から発光された光を集光する対物レンズを有する集光光学系と、前記対物レンズを変位させることで前記対物レンズと前記情報記録媒体とのチルトを補正する対物レンズ駆動装置と、前記集光光学系における光路を横切るように配列された屈折率が異なる複数の領域によって形成される所定の補正パターンに応じて前記光源部から発光された光の波面収差を補正する波面収差補正手段と、を具備する。
【００１７】
したがって、対物レンズと情報記録媒体とのチルトに起因する波面収差の補正に加えて、光源部から発光された光の波面収差を補正パターンに応じて補正することができる。
【００１８】
請求項２記載の発明は、請求項１記載の光ピックアップにおいて、前記波面収差補正手段は、前記対物レンズによる集光位置と前記情報記録媒体との相対的な移動方向に直交する方向沿って分割された前記補正パターンに応じて波面収差を調整する。
【００１９】
したがって、対物レンズと情報記録媒体とのチルトに起因する波面収差の補正に加えて、対物レンズによる集光位置と情報記録媒体との相対的な移動方向（ラジアル方向）に沿って発生する波面収差を補正することができる。
【００２０】
請求項３記載の発明は、請求項１記載の光ピックアップにおいて、前記波面収差補正手段は、前記対物レンズによる集光位置と前記情報記録媒体との相対的な移動方向に沿って分割された前記補正パターンに応じて波面収差を調整する。
【００２１】
したがって、対物レンズと情報記録媒体とのチルトに起因する波面収差の補正に加えて、対物レンズによる集光位置と情報記録媒体との相対的な移動方向に直交する方向（タンジェンシャル方向）に沿って発生する波面収差を補正することができる。
【００２２】
請求項４記載の発明は、請求項１記載の光ピックアップにおいて、前記波面収差補正手段は、前記対物レンズによる集光位置と前記情報記録媒体との相対的な移動方向と、前記相対的な移動方向に直交する方向とに沿ってそれぞれ分割された前記補正パターンに応じて波面収差を調整する。
【００２３】
したがって、対物レンズと情報記録媒体とのチルトに起因する波面収差の補正に加えて、対物レンズによる集光位置と情報記録媒体との相対的な移動方向（ラジアル方向）と対物レンズによる集光位置と情報記録媒体との相対的な移動方向に直交する方向（タンジェンシャル方向）との２方向に沿って発生する波面収差を補正することができる。
【００２４】
請求項５記載の発明は、請求項２記載の光ピックアップにおいて、光学的に透明な一対の基板とこの基板間に設けられた液晶層と前記基板に設けられて前記補正パターンを形成するように設けられた複数の電極とを有する液晶光学素子と、前記相対的な移動方向に沿って変動するチルト量を検出するチルト量検出手段と、を具備し、前記波面収差補正手段は、検出したチルト量に応じて前記液晶層における屈折率が前記補正パターンに応じて異なるように前記各電極に印加する電圧を調整することにより前記光源部から発光された光の波面収差を補正する。
【００２５】
したがって、液晶光学素子における各電極に印加する電圧を調整することで、ラジアル方向に沿って発生する波面収差を実用上容易に補正することができる。
【００２６】
請求項６記載の発明は、請求項３記載の光ピックアップにおいて、光学的に透明な一対の基板とこの基板間に設けられた液晶層と前記基板に設けられて前記補正パターンを形成するように設けられた複数の電極とを有する液晶光学素子と、前記相対的な移動方向に直交する方向沿って変動するチルト量を検出するチルト量検出手段と、を具備し、前記波面収差補正手段は、検出したチルト量に応じて前記液晶層における屈折率が前記補正パターンに応じて異なるように前記各電極に印加する電圧を調整することにより前記光源部から発光された光の波面収差を補正する。
【００２７】
したがって、液晶光学素子における各電極に印加する電圧を調整することで、タンジェンシャル方向に沿って発生する波面収差を実用上容易に補正することができる。
【００２８】
請求項７記載の発明は、請求項４記載の光ピックアップにおいて、光学的に透明な一対の基板とこの基板間に設けられた液晶層と前記基板に設けられて前記補正パターンを形成するように設けられた複数の電極とを有する液晶光学素子と、前記相対的な移動方向に沿って変動する第一のチルト量を検出する第一のチルト量検出手段と、前記相対的な移動方向に直交する方向沿って変動する第二のチルト量を検出する第二のチルト量検出手段と、を具備し、前記波面収差補正手段は、前記第一および第二のチルト量に応じて前記液晶層における屈折率が前記補正パターンに応じて異なるように前記各電極に印加する電圧を調整することにより前記光源部から発光された光の波面収差を補正する。
【００２９】
したがって、液晶光学素子における各電極に印加する電圧を調整することで、ラジアル方向およびタンジェンシャル方向に沿って発生する波面収差を、それぞれ、実用上容易に補正することができる。
【００３０】
請求項８記載の発明は、請求項１記載の光ピックアップにおいて、光学的に透明な一対の基板とこの基板間に設けられた液晶層と前記基板に設けられて前記補正パターンを形成するように設けられた複数の電極とを有する液晶光学素子を具備し、前記波面収差補正手段は、前記液晶層における屈折率が前記補正パターンに応じて異なるように前記各電極に印加する電圧を調整することにより前記光源部から発光された光の波面収差を補正する。
【００３１】
したがって、対物レンズと情報記録媒体とのチルトに起因する波面収差の補正に加えて、光源部から発光された光の波面収差を補正パターンに応じて実用上容易に補正することができる。
【００３２】
請求項９記載の発明は、請求項２、３、５、６または８記載の光ピックアップにおいて、前記補正パターンは、少なくとも３つの前記領域を有する。
【００３３】
したがって、請求項２、３、５、６または８記載の発明の作用をより確実に得ることが可能になる。
【００３４】
請求項１０記載の発明は、請求項４、７または８記載の光ピックアップにおいて、前記補正パターンは、少なくとも４つの前記領域を有する。
【００３５】
したがって、請求項４、７または８記載の発明の作用をより確実に得ることが可能になる。
【００３６】
請求項１１記載の発明は、請求項５、６、７または８記載の光ピックアップにおいて、前記光源部は、各々波長の異なる光を発光する複数の光源を具備し、前記集光光学系は、単一の前記対物レンズと、前記各光源から発光される光を前記対物レンズにおいて合成する光路合成素子とを具備し、前記液晶光学素子は、最も短波長の光を発光する前記光源と前記光路合成素子との間に設けられている。
【００３７】
したがって、波長の異なる複数の光源を有する光ピックアップにおいても格別な大型化を伴うことなく、対物レンズと情報記録媒体とのチルトによる波面収差の劣化がより顕著となる短波長の光の波面収差を補正することができる。
【００３８】
請求項１２記載の発明は、請求項５、６、７または８記載の光ピックアップにおいて、前記光源部は、各々波長の異なる光を発光する複数の光源を具備し、前記集光光学系は、単一の前記対物レンズと、前記各光源から発光される光を前記対物レンズにおいて合成する光路合成素子とを具備し、前記液晶光学素子は、前記対物レンズと前記光路合成素子との間に設けられている。
【００３９】
したがって、波長の異なる複数の光源を有する光ピックアップにおいても格別な大型化を伴うことなく、対物レンズと情報記録媒体とのチルトによる波面収差の劣化を全ての波長の光に対して補正することができる。
【００４０】
請求項１３記載の発明は、請求項５、６、７、８、１１または１２記載の光ピックアップにおいて、前記液晶光学素子に設けられて球面収差に応じた球面収差補正用パターンを形成するように設けられた球面収差補正用電極と、前記球面収差補正用パターンに応じて異なるように前記球面収差補正用電極に印加する電圧を調整することにより前記光源部から発光された光の球面収差を補正する球面収差補正手段と、を具備する。
【００４１】
したがって、光ピックアップの大型化を伴うことなく、情報記録媒体に集光される光の球面収差を補正することができる。
【００４２】
請求項１４記載の発明の光ディスク装置は、請求項１ないし１４のいずれか一に記載の光ピックアップと、前記光ピックアップが具備する対物レンズによって光が集光される情報記録媒体と前記光ピックアップとを相対的に移動させる移動機構と、前記情報記録媒体からの反射光を受光する受光素子を備える受光光学系と、を具備する。
【００４３】
したがって、請求項１ないし１４のいずれか一に記載の発明の作用を奏する光ディスク装置を得ることが可能になる。
【発明の効果】
【００４４】
請求項１記載の発明の光ピックアップによれば、対物レンズと情報記録媒体とのチルトに起因する波面収差の補正に加えて、光源部から発光された光の波面収差を補正パターンに応じて補正することができる。
【００４５】
請求項２記載の発明によれば、請求項１記載の光ピックアップにおいて、対物レンズと情報記録媒体とのチルトに起因する波面収差の補正に加えて、対物レンズによる集光位置と情報記録媒体との相対的な移動方向（ラジアル方向）に沿って発生する波面収差を補正することができる。
【００４６】
請求項３記載の発明によれば、請求項１記載の光ピックアップにおいて、対物レンズと情報記録媒体とのチルトに起因する波面収差の補正に加えて、対物レンズによる集光位置と情報記録媒体との相対的な移動方向に直交する方向（タンジェンシャル方向）に沿って発生する波面収差を補正することができる。
【００４７】
請求項４記載の発明によれば、請求項１記載の光ピックアップにおいて、対物レンズと情報記録媒体とのチルトに起因する波面収差の補正に加えて、対物レンズによる集光位置と情報記録媒体との相対的な移動方向（ラジアル方向）と対物レンズによる集光位置と情報記録媒体との相対的な移動方向に直交する方向（タンジェンシャル方向）との２方向に沿って発生する波面収差を補正することができる。
【００４８】
請求項５記載の発明によれば、請求項２記載の光ピックアップにおいて、液晶光学素子における各電極に印加する電圧を調整することで、ラジアル方向に沿って発生する波面収差を実用上容易に補正することができる。
【００４９】
請求項６記載の発明によれば、請求項３記載の光ピックアップにおいて、液晶光学素子における各電極に印加する電圧を調整することで、タンジェンシャル方向に沿って発生する波面収差を実用上容易に補正することができる。
【００５０】
請求項７記載の発明によれば、請求項４記載の光ピックアップにおいて、液晶光学素子における各電極に印加する電圧を調整することで、ラジアル方向およびタンジェンシャル方向に沿って発生する波面収差を、それぞれ、実用上容易に補正することができる。
【００５１】
請求項８記載の発明によれば、請求項１記載の光ピックアップにおいて、対物レンズと情報記録媒体とのチルトに起因する波面収差の補正に加えて、光源部から発光された光の波面収差を補正パターンに応じて実用上容易に補正することができる。
【００５２】
請求項９記載の発明によれば、請求項２、３、５、６または８記載の光ピックアップにおいて、請求項２、３、５、６または８記載の発明の効果をより確実に得ることができる。
【００５３】
請求項１０記載の発明によれば、請求項４、７または８記載の光ピックアップにおいて、請求項４、７または８記載の発明の効果をより確実に得ることができる。
【００５４】
請求項１１記載の発明によれば、請求項５、６、７または８記載の光ピックアップにおいて、波長の異なる複数の光源を有する光ピックアップにおいても格別な大型化を伴うことなく、対物レンズと情報記録媒体とのチルトによる波面収差の劣化がより顕著となる短波長の光の波面収差を補正することができる。
【００５５】
請求項１２記載の発明によれば、請求項５、６、７または８記載の光ピックアップにおいて、波長の異なる複数の光源を有する光ピックアップにおいても格別な大型化を伴うことなく、対物レンズと情報記録媒体とのチルトによる波面収差の劣化を全ての波長の光に対して補正することができる。
【００５６】
請求項１３記載の発明によれば、請求項５、６、７、８、１１または１２記載の光ピックアップにおいて、光ピックアップの大型化を伴うことなく、情報記録媒体に集光される光の球面収差を補正することができる。
【００５７】
請求項１４記載の発明の光ディスク装置によれば、請求項１ないし１４のいずれか一に記載の発明の効果を奏する光ディスク装置を得ることができる。
【発明を実施するための最良の形態】
【００５８】
本発明を実施するための第一の実施形態について図１ないし図８を参照して説明する。本実施の形態は、光ディスク装置への適用例を示す。
【００５９】
図１は、本発明を実施するための第一の実施形態の光ディスク装置における光ピックアップを示す概略図である。図１に示すように、本実施の形態の光ディスク装置における光ピックアップ１は、情報記録媒体としての光ディスク２に対する情報の記録や再生に際して、該光ディスク２に対して照射する光を出射する光源３を備えている。本実施の形態では、光源３によって光源部が実現されている。
【００６０】
光ディスク装置は、光ディスク２を回転させる図示しない移動機構としてのスピンドルモータ（図７参照）を備えている。公知の技術であるため説明を省略するが、スピンドルモータは、光ディスク２に対する情報の記録や再生に際して、光ディスク２の中心を回転中心として、光ディスク２を回転駆動する。
【００６１】
光ピックアップ１は、光源３から出射されるレーザ光束を混合するビームスプリッタ４、ビームスプリッタ４を経由した光束を光ディスク２に集光させる対物レンズ５等を備えている。対物レンズ５により集光された光は、光ディスク２の記録層で反射される。
【００６２】
光ピックアップ１は、対物レンズ５を移動することで、光ディスク２に対してフォーカシング方向およびトラッキング方向に移動自在とするとともに、光ディスク２に対する対物レンズ５のチルトを補正する対物レンズ駆動装置６を備えている。光ディスク２に対する情報の記録や再生に際しては、対物レンズ駆動装置６によって対物レンズ５をフォーカシング方向およびトラッキング方向に駆動することで、光ディスク２に集光させる光の焦点を調整する。ここに、集光光学系が実現されている。
【００６３】
光ディスク２で反射された光束は、光ディスク２側から再度対物レンズ５を通過して、ビームスプリッタ４に再入射される。ここで、光ディスク２で反射された光の位相は、反射前の光の位相に対してずれているため、ビームスプリッタ４は、光源３側から入射される光と対物レンズ側から入射される光とを分離させるとともに、対物レンズ５側から入射される光の進行方向を屈曲させる機能を有している。
【００６４】
光ディスク装置１は、ビームスプリッタ４により光路分離された反射光が入射される図示しない受光素子を備える光検出器７を備えている。光検出器７に入射された反射光は、反射信号として検出される。ここに、受光光学系が実現されている。
【００６５】
本実施の形態の光ピックアップ１は、光源３とビームスプリッタ４との間の光路上に設けられた液晶光学素子８を備えている。液晶光学素子８は、例えば、屈折率異方性を持つ液晶分子が所定の向きに配向されたガラス基板対を備える液晶パネル（いずれも図示せず）によって実現することができる。なお、公知の技術であるため液晶パネルの図示および説明は省略するが、液晶パネルにおける一方のガラス基板には、図２に示すように、ガラス基板を３つに分割する複数の領域８ａ，８ｂ，８ｃの配列によって形成される補正パターンに応じてパターニングされた電極が設けられている。補正パターンに応じた各領域８ａ，８ｂ，８ｃは、ガラス基板表面を光ディスク２に対してラジアル方向に沿って分割するように設けられている。ここで、ラジアル方向とは、スピンドルモータによる光ディスク２の回転駆動によって、対物レンズ５による光ディスク２に対する集光位置と光ディスク２との相対的な移動方向を意味する。
【００６６】
液晶パネルにおける他方の図示しないガラス基板には、一方のガラス基板の電極に対向する別の透明な電極が形成されている。
【００６７】
これらのガラス基板間における液晶分子は、各ガラス基板に形成された電極間に印加された電圧に応じて発生する電界にしたがって配向状態が偏倚する。
【００６８】
液晶光学素子８には、液晶光学素子８が備える各電極に対して、領域８ａ，８ｂ，８ｃ毎に可変調整した電圧を印加する液晶駆動回路９（図３参照）が接続されている。
【００６９】
ここで、図３は、光ディスク２と光ピックアップ１における対物レンズ５との間のチルト補正に関わる各部について説明するブロック図である。光ディスク装置は、光ディスク２と光ピックアップ１における対物レンズ５とのチルト量を検出するチルト量検出手段としてのチルト検出素子１０を備えている。なお、このチルト検出素子１０は、例えば、上述の光検出器７によって実現するようにしてもよい。
【００７０】
チルト検出素子１０によって検出した光ディスク２と光ピックアップ１における対物レンズ５とのチルトに関するデータは、チルト検出素子１０に接続された対物レンズチルト駆動回路１１に入力される。
【００７１】
対物レンズチルト駆動回路１１は、光ディスク２と光ピックアップ１における対物レンズ５とのチルトに関するデータに基づき対物レンズチルト駆動装置６を駆動制御するとともに、光ディスク２と光ピックアップ１における対物レンズ５とのチルトに関するデータに基づく制御信号を液晶駆動回路９に出力する。
【００７２】
液晶駆動回路９は、対物レンズチルト駆動回路１１より入力された制御信号に基づいて液晶光学素子８における各領域８ａ，８ｂ，８ｃにおける透過率を調整するよう、各電極に印加する電圧を調整する。
【００７３】
なお、本実施の形態では、図３に示すような構成としたが、これに限るものではなく、例えば、図４に示すように、チルト検出素子１０の出力を直接液晶駆動回路９に入力するようにしてもよい。
【００７４】
加えて、特に図示しないが、光ディスク装置は、光源３のＯＮ／ＯＦＦ等、光ディスク装置が備える各部を駆動制御する制御部を備えている。
【００７５】
このような光ディスク装置における記録に際しては、光源３から出射した光を対物レンズ５によって集光した状態で光ディスク２に照射する。これにより、光ディスク２の記録層においてレーザ光が照射された部分の組成が変化し記録マークが形成される。
【００７６】
また、このような光ディスク２に記録された情報の再生に際しては、光源３から発光した光を対物レンズ５によって集光した状態で光ディスク２に照射し、光ディスク２の記録層からの反射光を光検出器７で検出する。
【００７７】
光検出器７は、受光した反射光の強度に応じた反射信号を図示しない制御部に出力する。制御部は、この反射信号に応じて再生信号を生成する。なお、制御部における再生信号の生成については公知の技術であるため説明を省略する。
【００７８】
ところで、光ディスク２に記録された情報の記録や再生に際しては、記録または再生対象とする光ディスク２にレーザ光束を集光させることにより情報を記録または再生するが、光ディスク２が対物レンズ５に対してチルトしている場合、光源３から発光する光の波長が短くなる程、光ディスク２と光ピックアップ１における対物レンズ５との間で発生するチルトによる波面収差の劣化が急増する（図５における「補正前」参照）。図５における「補正前」に示すように、光ディスク２と光ピックアップ１における対物レンズ５との間のチルトは、一般的に、光ディスク２に対してラジアル方向に沿って発生する。
【００７９】
これに対し、本発明の光ディスク装置における光ピックアップ１は、対物レンズチルト制御回路１１によって対物レンズ５を変位させることにより、対物レンズ５と光ディスク２とのチルトを調整することができる。なお、対物レンズチルト制御回路１１による対物レンズ２の変位駆動については公知の技術であるため説明を省略する。これによって、図５における「補正後」に示すように、対物レンズ５と光ディスク２とのチルトに起因する光学的位相差を補正し、光ディスク２と光ピックアップ１における対物レンズ５との間で発生するチルトによる波面収差の劣化を改善することができる。
【００８０】
しかしながら、図５における「補正後」の残留収差からも判るように、光ディスク２と光ピックアップ１における対物レンズ５との間で発生するチルトを補正しただけでは、波面収差の劣化を十分に補正することはできない。
【００８１】
一般的に、光ピックアップの波面収差の劣化に関する許容値は、チルトによる波面収差劣化のみではなく、フォーカスずれによる波面収差劣化等にも配分した上での許容値である。そして、光ピックアップの波面収差の劣化に関する許容値は、通常、波長に限らず０.０７λまでとされている。このため、光ディスクと光ピックアップとの間のチルトの許容範囲は、通常、±０．５°程度までに収める必要がある。
【００８２】
本実施の形態の光ディスク装置では、液晶光学素子８によって、光ディスク２と光ピックアップ１における対物レンズとの間のチルトの補正後の残留収差を低減することができる。
【００８３】
すなわち、本実施の形態の光ピックアップ１では、光ディスク２と光ピックアップ１における対物レンズ５との間のチルトの増加に伴って残留収差が増加した場合に、この残留収差に応じて、液晶光学素子８において３パターンに分割されている各領域８ａ，８ｂ，８ｃに対応する電極に印加する電圧値を調整する。ここに、波面収差補正手段が実現される。ここで、図６は、光ディスク２と光ピックアップ１における対物レンズ５との間のチルトを補正する前の残留収差と、光ディスク２、対物レンズ５および液晶光学素子８の位置関係とを示す説明図である。一般的に、光ディスク２と光ピックアップ１における対物レンズ５との間のチルトは光ディスク２に対してラジアル方向に沿ってその大小が変化するように発生するため、光ディスク２と光ピックアップ１における対物レンズ５との間のチルトの補正後の残留収差においてもその大小は、図６中「残留収差補正前」に示すように、光ディスク２に対してラジアル方向に沿った方向において顕著に変化するように発生する。
【００８４】
本実施の形態では、図６中「残留収差補正前」に示すような残留収差が発生している場合に、液晶光学素子８の３つの領域８ａ，８ｂ，８ｃのうち中央の領域８ｂの屈折率が外側の領域８ａ，８ｃの屈折率よりも小さくなるように各電極パターンに印加する電圧値を調整する。これにより、図６中「残留収差補正後」に示すように、中央の領域８ｂを透過する光の波面が外側の領域８ａ，８ｃよりも進むため、結果的に波面が揃い、残留波面収差を小さくすることができる。
【００８５】
なお、本実施の形態では、液晶光学素子８の分割領域を３分割として説明したが、これに限るものではなく、例えば、５分割、７分割と増やしてもよい。液晶光学素子８の分割領域数を増やすことにより、より正確に波面を補正することができる。
【００８６】
また、本実施の形態では、液晶光学素子８の分割領域を３分割として説明したが、これに限るものではなく、各領域間の境界を連続的とし、屈折率分布を連続的に変えるようにしてもよい。これによって、残留波面収差をより低減することができる。
【００８７】
さらに、各領域８ａ，８ｂ，８ｃにおける屈折率は、予め中央とその外側とを小さくしておき、光ディスク２と対物レンズ５とがチルトした場合には、外側の領域の屈折率を大きくするように制御してもよい。これによっても、上述と同様の効果を得ることができる。
【００８８】
ここで、図８は、波長４０５ｎｍ、ＮＡ０．６５、液晶光学素子における領域を３分割とした場合の残留収差を補正した際の波面収差特性を示すグラフである。図８に示すように、液晶光学素子によって残留収差を補正することで、光ディスクと光ピックアップとの間のチルト補正後の波面収差を補正前と比較して少なくとも１/２に低減することができることが判る。
【００８９】
本実施の形態によれば、チルト検出素子１０で検出される残留収差に応じて液晶光学素子８における各領域８ａ，８ｂ，８ｃの透過率を適宜調整することで、残留収差をリアルタイムに低減することが可能となる。
【００９０】
なお、本実施の形態では、液晶光学素子８における電極のパターンを調整し、各電極に印加する電圧を調整することによって液晶光学素子８における透過率を領域８ａ，８ｂ，８ｃに応じて調整するようにしたが、これに限るものではなく、例えば、同じ電圧が印加された状態での透過率が異なる複数の液晶材料を電極パターンと同様のパターンで設け、液晶材料自体が有する透過率の違いによって液晶光学素子における各分割パターンの透過率を調整するようにしてもよい。
【００９１】
次に、本発明を実施するための第二の実施形態について図９および図１０を参照して説明する。本実施の形態は、光ディスク装置への適用例を示す。なお、第一の実施の形態と同一部分は同一符号で示し、説明も省略する。以下、同様とする。
【００９２】
上述した第一の実施の形態においては、対物レンズ５と光ディスク２との間において光ディスク２の半径方向に沿って変動するチルト（以降、ラジアルチルト）のみが発生する場合について説明したが、対物レンズ５と光ディスク５との間で発生するチルトは、ラジアルチルトだけではなく、ラジアル方向に直交する方向であるタンジェンシャル方向においても発生する（以降、この方向に発生するチルトをタンジェンシャルチルトとする）。例えば、光ディスク装置においては、スピンドルモータ上に光ディスク２を乗せるが、このとき、光ピックアップ１における対物レンズ５とスピンドルモータとの間においては、ラジアル方向に沿った相対チルト誤差が発生することがある。本実施の形態では、このチルトをタンジェンシャルチルトとする。
【００９３】
なお、一般的に、光ディスク２は、ラジアル方向（光ディスク２の半径方向）に沿って大きくチルトする。このため、ラジアル方向のチルト量（ラジアルチルト量）とタンジェンシャル方向のチルト量（タンジェンシャルチルト量）とで比較した場合、その大小は、（ラジアルチルト量）＞（タンジェンシャルチルト量）となる。
【００９４】
ここで、図９は、本発明を実施するための第二の実施形態の光ディスク装置の一部を概略的に示すブロック図である。本実施の形態の光ディスク装置は、上述したチルト検出素子１０に代えて、第一のチルト量検出手段および第二のチルト量検出手段として機能するラジアル・タンジェンシャルチルト検出素子２０を備えている。ラジアル・タンジェンシャルチルト検出素子２０は、光ディスク２と対物レンズ５とのラジアル方向のチルトとタンジェンシャル方向のチルトとを検出することが可能である。
【００９５】
本実施の形態の光ディスク装置では、ラジアル・タンジェンシャルチルト検出素子２０によって検出した光ディスク２と光ピックアップ１における対物レンス５との間のチルトに関するデータのうち、上述した実施の形態と同様のラジアル方向のチルトに関するデータ（ラジアル制御信号）を、対物レンズチルト駆動回路１１および液晶駆動回路９に出力するとともに、液晶駆動回路９に対してタンジェンシャル方向のチルトに関するデータ（タンジェンシャル制御信号）制御信号を出力する。
【００９６】
ここで、図１０は、液晶光学素子８における電極のパターンを示す平面図である。図１０に示すように、本実施の形態の液晶光学素子８は、領域Ａ，Ｂ，Ｃに分割された補正パターンに応じて設けられた電極を備えている。領域Ａ，Ｂは、領域Ｃ中で、タンジェンシャル方向に沿って配列されている。液晶光学素子８では、各電極に印加する電圧値を調整することにより、領域Ｃと領域Ａとの間、領域Ｃと領域Ｂとの間に屈折率差を設けることが可能な構成となっている。
【００９７】
なお、本実施の形態では、電極のパターンを調整することにより領域Ｃと領域Ａとの間、領域Ｃと領域Ｂとの間に屈折率差を設けるような液晶光学素子について説明したが、これに限るものではなく、例えば、同じ電圧が印加された状態での透過率が異なる複数の液晶材料を電極パターンと同様のパターンで設け、液晶材料自体が有する透過率の違いによって液晶光学素子における、領域Ｃと領域Ａとの間、領域Ｃと領域Ｂとの間に屈折率差を設けるようにしてもよい。
【００９８】
液晶駆動回路９は、領域Ｃと領域Ａとの屈折率差Ｃ−Ａ、および領域Ｃと領域Ｂとの屈折率差Ｃ−Ｂが、それぞれΔｎ、−Δｎとなるように、各電極に印加する電圧を調整する。
【００９９】
このような光ディスク装置において情報の記録や再生に際しては、上述した実施の形態と同様に、ラジアル・タンジェンシャルチルト検出素子２０から出力されるラジアル制御信号に応じた制御信号を対物レンズチルト駆動回路１１から対物レンズチルト駆動装置６に対して出力し、対物レンズチルト駆動装置６によって対物レンズ５を変位させることにより、光ディスク２と対物レンズ５との間のチルトを補正する。
【０１００】
これにより、タンジェンシャルチルトによって発生する波面収差の劣化を低減することができる。
【０１０１】
次に、本発明を実施するための第三の実施の形態について図１１を参照して説明する。本実施の形態は、光ディスク装置への適用例を示す。
【０１０２】
図１１は、本発明を実施するための第三の実施の光ディスクが備える液晶光学素子における電極のパターンを示す平面図である。図１１に示すように、本実施の形態の液晶光学素子８における補正パターンは、領域Ａ，Ｂ，Ｃ，Ｄに分割されている。領域Ａ，Ｂ，Ｃは、領域Ｄ中でタンジェンシャル方向に沿って配列されている。
【０１０３】
液晶駆動回路９は、ラジアル・タンジェンシャルチルト検出素子２０から出力されるラジアル制御信号に応じて、領域Ａ，Ｂ，Ｃの屈折率が領域Ｄの屈折率より小さくなるように調整した電圧を各電極パターンに印加する。
【０１０４】
また、液晶駆動回路９は、ラジアル・タンジェンシャルチルト検出素子２０から検出されたタンジェンシャル制御信号を応じて、領域Ａ，Ｂ，Ｃに対応する各電極に対して、図１２に示すように調整した電圧を印加する。なお、図１２中グラフｘ，ｙ，ｚは、それぞれ、領域Ａ（またはＢ）に対応する電極パターンに印加する電圧、領域Ｃに対応する電極パターンに印加する電圧、領域Ｂ（またはＡ）に対応する電極パターンに印加する電圧である。各グラフｘ，ｙ，ｚ間の間隔は、ラジアル・タンジェンシャルチルト検出素子２０によって検出されるチルト量に応じて適宜設定される。
【０１０５】
このような構成において、例えば、対物レンズ５の変位によるラジアルチルト補正によって残留収差が発生した場合には、領域Ａ，Ｂ，Ｃにおける各屈折率ｎＡ，ｎＢ，ｎＣが、領域Ｄにおける屈折率ｎＤよりも小さくなるように各領域に対応する電極印加する電圧値を調整する。
【０１０６】
本実施の形態では、加えて、タンジェンシャルチルト補正を行うために、タンジェンシャルチルト量に応じて、液晶パターンＡ，Ｂ，Ｃにおける各屈折率ｎＡ，ｎＢ，ｎＣの関係が、ｎＡ−ｎＣ＝ｎＣ−ｎＢとなるようにｎＡ、ｎＢを制御する。
【０１０７】
このように、本実施の形態によれば、液晶光学素子８における補正パターンを４分割にすることで、単一の液晶光学素子８によって、対物レンズ５によるラジアルチルト補正の残留収差を低減するとともに、タンジェンシャルチルトを補正することが可能となる。
【０１０８】
次に、本発明を実施するための第四の実施の形態について図１３を参照して説明する。本実施の形態は、単一の光ピックアップを用いて、例えば、ＢＬＵＥやＤＶＤ等、異なる複数（本実施の形態では２つ）の情報記録媒体に対する情報の記録や再生を行なう光ディスク装置への適用例を示す。
【０１０９】
図１３は、本発明を実施するための第四の実施の形態の光ディスク装置における光ピックアップを示すブロック図である。本実施の形態の光ディスク装置における光ピックアップ３０は、ＤＶＤ対応波長の光を発光する図示しないＤＶＤ用光源と、ＢＬＵＥ対応波長の光を発光するＢＬＵＥ用光源３１とを備えている。
【０１１０】
ＤＶＤ用光源から出射されるレーザ光束は、光路合成手段３２によってＢＬＵＥ用光源３１から発光された光束と合成され、対物レンズ５によって光ディスク２に集光される。そして、光ディスク２の記録層で反射された後、光路合成素子としての光路合成手段３２によって反射されてＤＶＤ用受光素子３３へ入射する。本実施の形態では、ＤＶＤ用光源からＤＶＤ用受光素子３３に至る光が経由する光学系をＤＶＤ光学系とする。
【０１１１】
ＢＬＵＥ用光源３１から出射されるレーザ光束はビームスプリッタ３４、光路合成手段３２を経由した後、対物レンズ５によって光ディスク２に集光される。ＢＬＵＥ用光源３１から発光された光は、光ディスク２の記録層で反射された後、光路合成手段３２を経由し、ビームスプリッタ３４によって反射されてＢＬＵＥ用受光素子３５へ入射する。ＢＬＵＥ用光源３１とビームスプリッタ３４との間には、上述と同様の液晶光学素子８が設けられている。本実施の形態では、ＢＬＵＥ用光源３１からＢＬＵＥ用受光素子３５に至る光が経由する光学系をＢＬＵＥ光学系とする。
【０１１２】
このような光ディスク装置においては、対象とする光ディスク２の種類に応じて対応する波長の光を発光する光源（例えば、ＢＬＵＥ用光源３１）を駆動し、光ディスク２からの反射光を対応する受光素子３３または３５で受光することで上述と同様に情報の記録や再生を行なう。
【０１１３】
本実施の形態の光ディスク装置では、対物レンズチルト駆動回路１１によって対物レンズ２を駆動することで、ラジアルチルトを補正することができる。
【０１１４】
ところで、ＢＬＵＥ用の光の波長域では、ＤＶＤ用の光の波長域と比較して、光ディスク２のチルトによる波面収差劣化が顕著である。このため、光ディスク２としてＢＬＵＥ用ディスクを用いる場合、光ディスク２としてＤＶＤ用ディスクを用いる場合よりも、光ディスク２のチルトによる波面収差補正がより重要である。
【０１１５】
また、上述したように、ラジアルチルトを補正するために対物レンズ５を駆動しただけでは、残留収差が発生する（図５参照）。
【０１１６】
このため、本実施の形態では、光ディスク２としてＢＬＵＥ用ディスクを用いる場合に、検出されるラジアルチルト、タンジェンシャルチルトに応じて液晶光学素子８を駆動することで、光ディスク２と対物レンズ５とのチルトを対物レンズ５の変位によって補正したことによる残留収差とタンジェンシャルチルトとを低減する。
【０１１７】
これにより、光ディスク２と対物レンズ５とのチルトの影響を受けやすい短波長の光を発光する光源３１を用いた場合にも、波面収差を極力抑えることができる。
【０１１８】
本実施の形態では、ＢＬＵＥ用光源３１とビームスプリッタ３４との間に液晶光学素子を設けることで、光ピックアップ３０の格別な大型化を伴うことなく、波長の異なる光の光路を重複させる場合にも、各波長の光のラジアルチルトを補正するとともに、よりチルトの影響を受け易い波長の光に対しては、さらにタンジェンシャルチルトおよび残留収差を補正することができる。このため、チルトの影響異なる複数の波長の光の光路を重複させる場合にも、各波長に応じた補正を行なうことができる。
【０１１９】
また、このような構成とすることにより本実施の形態の光ディスク装置は、ＢＬＵＥ用の光路およびＤＶＤ用の光路を一部共用することができるので、光ピックアップ３０ひいては光ディスク装置の小型化に貢献することができる。
【０１２０】
次に、本発明を実施するための第五の実施の形態について図１４を参照して説明する。本実施の形態は、単一の光ピックアップを用いて、例えば、ＢＬＵＥやＤＶＤ等、異なる複数（本実施の形態では２つ）の情報記録媒体に対する情報の記録や再生を行なう光ディスク装置への適用例を示す。
【０１２１】
図１４は、本発明を実施するための第五の実施の形態の光ディスク装置における光ピックアップを示すブロック図である。図１４に示すように、本実施の形態の光ディスク装置では、図１３に示す光ディスクと比較して、液晶光学素子８が、光路合成手段３２と対物レンズ５との間に設けられている。
【０１２２】
このように、光路合成手段３２と対物レンズ５との間に液晶光学素子８を設けることにより、単一の液晶光学素子８を用いて、ＢＬＵＥ対応波長の光とＤＶＤ対応波長の光との両方の残留収差を補正することができる。本実施の形態によれば、ＤＶＤの残留収差をより小さくできるので、ＤＶＤの波面収差をほとんど残さず良好な再生信号を得ることができる。
【０１２３】
次に、本発明を実施するための第六の実施の形態について図１５および図１６を参照して説明する。本実施の形態は、上述した各種実施の形態の液晶光学素子への適用が可能な液晶光学素子への適用例を示す。
【０１２４】
図１５は、本発明を実施するための第六の実施の形態の液晶光学素子を示す断面図である。本実施の形態の液晶光学素子４０は、図１５に示すように、光学的に透明な一対の基板４１と、この基板４１間に挟持された液晶材料によって形成される液晶層４２とを有している。なお、本実施の形態の基板４１は、ガラスによって形成されている。液晶層４２と各基板４１との間には、電極層４３，４４がそれぞれ設けられている。一方の電極層４３には、図１６（ａ）に示すように、タンジェンシャルチルトおよび残留収差を補正するような補正パターンに応じたパターンで電極が形成されている。また、他方の電極層４４には、図１６（ｂ）に示すように、球面収差を補正するような球面収差補正用パターンに応じたパターンで球面収差補正用電極としての電極が形成されている。
【０１２５】
公知の技術であるため説明および図示を省略するが、通常、光ディスク２等の情報記録媒体は、情報信号が記録される記録層上に光透過層を有しており、この光透過層を介して記録層に光を照射することにより記録や再生が行われる。このとき、記録層を２層（またはそれ以上の複数層）有する光ディスク２では、記録や再生の対象とする記録層によって光が透過する層の厚さが異なる。球面収差は、このような光ディスク２において、記録や再生の対象とする記録層によって光が透過する層の厚さが異なることによって発生する収差である。なお、単一の記録層を有する光ディスク２においても、光ディスク２における光照射位置の違いによって、記録層に到達するまでに光が透過する層の厚さが異なる場合等には球面収差が発生する。
【０１２６】
本実施の形態の液晶光学素子４０では、一方の電極層４３にはタンジェンシャルチルトおよび残留収差を補正するような補正パターンに応じた電極として図１６（ａ）に示す電極パターンが形成されており、他方の電極層４４には球面収差を補正するような球面収差補正用パターンに応じた電極として図１５（ｂ）に示す電極パターンが形成されている。
【０１２７】
本実施の形態の光ディスク装置では、光ディスク２として用いたＢＬＵＥ用ディスクの２層目を再生する場合に、基板厚のずれによって球面収差が発生した場合に、この球面収差に応じて球面収差補正用パターンで設けられた電極に対して電圧を印加する。ここに、球面収差補正手段が実現される。なお、球面収差の検出については公知の技術であるため説明を省略する。
【０１２８】
これにより、球面収差に応じて液晶光学素子４０における透過率を変化させ、光ピックアップ内に負の球面収差を発生させることができるので、単一の液晶光学素子４０を用いて、タンジェンシャルチルトによる波面収差と、球面収差とを補正することができる。
【図面の簡単な説明】
【０１２９】
【図１】本発明を実施するための第一の実施形態の光ディスク装置における光ピックアップを示す概略図である。
【図２】補正パターンおよびこの補正パターンに応じて設けられた電極を示す平面図である。
【図３】光ディスクと光ピックアップにおける対物レンズとの間のチルト補正に関わる各部について説明するブロック図である。
【図４】光ディスクと光ピックアップにおける対物レンズとの間のチルト補正に関わる各部について説明する別のブロック図である。
【図５】光ディスクと光ピックアップにおける対物レンズとの間で発生するチルトによる波面収差について説明するグラフである。
【図６】光ディスクと光ピックアップにおける対物レンズとの間のチルトを補正する前の残留収差と、光ディスク、対物レンズおよび液晶光学素子の位置関係とを示す説明図である。
【図７】光ディスクと光ピックアップにおける対物レンズとの間に発生しうるチルトについて示す説明図である。
【図８】波長４０５ｎｍ、ＮＡ０．６５、液晶光学素子における領域を３分割とした場合の残留収差を補正した際の波面収差特性を示すグラフである。
【図９】本発明を実施するための第二の実施形態の光ディスク装置の一部を概略的に示すブロック図である。
【図１０】液晶光学素子における電極のパターンを示す平面図である。
【図１１】本発明を実施するための第三の実施の光ディスクが備える液晶光学素子における電極のパターンを示す平面図である。
【図１２】領域Ａ，Ｂ，Ｃに対応する各電極に印加する電圧について例示するグラフである。
【図１３】本発明を実施するための第四の実施の形態の光ディスク装置における光ピックアップを示すブロック図である。
【図１４】本発明を実施するための第五の実施の形態の光ディスク装置における光ピックアップを示すブロック図である。
【図１５】本発明を実施するための第六の実施の形態の液晶光学素子を示す断面図である。
【図１６】その液晶光学素子が有する各電極層に設けられた電極のパターンを示す平面図である。
【図１７】従来の光ディスク装置における光ピックアップを例示する概略図である。
【図１８】従来の光ディスク装置において光ディスクと対物レンズとの間で発生するチルトによる波面収差の劣化を示すグラフである。
【図１９】従来の光ディスク装置においてＢＬＵＥの光ディスクが対物レンズに対してチルトした場合に対物レンズを変位させることによってチルトを補正した前後における波面収差を示すグラフである。
【符号の説明】
【０１３０】
１      光ピックアップ
２      情報記録媒体
３      光源部
５      対物レンズ
６      対物レンズ駆動装置
７      液晶光学素子
１０      チルト量検出手段
２０      第一のチルト量検出手段、第二のチルト量検出手段
３２      光路合成素子
４１      基板
４２      液晶層
４０      液晶光学素子
【図１】
2005115977.tif 000003
【図２】
2005115977.tif 000004
【図３】
2005115977.tif 000005
【図４】
2005115977.tif 000006
【図５】
2005115977.tif 000007
【図６】
2005115977.tif 000008
【図７】
2005115977.tif 000009
【図８】
2005115977.tif 000010
【図９】
2005115977.tif 000011
【図１０】
2005115977.tif 000012
【図１１】
2005115977.tif 000013
【図１２】
2005115977.tif 000014
【図１３】
2005115977.tif 000015
【図１４】
2005115977.tif 000016
【図１５】
2005115977.tif 000017
【図１６】
2005115977.tif 000018
【図１７】
2005115977.tif 000019
【図１８】
2005115977.tif 000020
【図１９】
2005115977.tif 000021